(57)【要約】  本発明は、差被せ部分の接続線路をプリント配線板の導体路に接続するためのプリント配線板差込み装置において、以下の特徴：すなわち、ａ）差被せ部分（３）が、コンタクトエレメント（１１，１２，１３，１４）を有しており、該コンタクトエレメント（１１，１２，１３，１４）が、接続線路（２６）に接続されており、ｂ）差被せ部分（３）を差被せ可能に取り付けるために、プリント配線板（２）の縁部（２４）に差込みフィールド（４）が形成されており、ｃ）該差込みフィールド（４）が、コンタクト面（５，６，７，８，９，１０）を有しており、該コンタクト面（５，６，７，８，９，１０）によって、導体路（３１，３２，３３，３４）が、縁部（２４）で導出されており、１つのコンタクト面によって導出された導体路と、少なくとも２つのコンタクト面によって導出された導体路とが設けられており、ｄ）差被せ部分（３）と差込みフィールド（４）との間にコーディングガイド（２１，２２，２３）が形成されており、該コーディングガイド（２１，２２，２３）が、第１の差込み位置と、該第１の差込み位置に対して側方に所定の間隔（２５）を置いてプリント配線板（２）のレベルでずらされた少なくとも１つの別の差込み位置とを設定しており、コンタクトエレメントに、一方の差込み位置と、少なくとも１つの別の差込み位置とで、それぞれ異なるコンタクト面が割り当てられている：が設けられていることが特徴付けられている。
2008515155.tif 000002
【特許請求の範囲】
【請求項１】
差被せ部分の接続線路をプリント配線板の導体路に接続するためのプリント配線板差込み装置において、以下の特徴：すなわち、
ａ）差被せ部分（３）が、コンタクトエレメント（１１，１２，１３，１４）を有しており、該コンタクトエレメント（１１，１２，１３，１４）が、接続線路（２６）に接続されており、
ｂ）差被せ部分（３）を差被せ可能に取り付けるために、プリント配線板（２）の縁部（２４）に差込みフィールド（４）が形成されており、
ｃ）該差込みフィールド（４）が、コンタクト面（５，６，７，８，９，１０）を有しており、該コンタクト面（５，６，７，８，９，１０）によって、導体路（３１，３２，３３，３４）が、縁部（２４）で導出されており、１つのコンタクト面によって導出された導体路と、少なくとも２つのコンタクト面によって導出された導体路とが設けられており、
ｄ）差被せ部分（３）と差込みフィールド（４）との間にコーディングガイド（２１，２２，２３）が形成されており、該コーディングガイド（２１，２２，２３）が、第１の差込み位置と、該第１の差込み位置に対して側方に所定の間隔（２５）を置いてプリント配線板（２）のレベルでずらされた少なくとも１つの別の差込み位置とを設定しており、コンタクトエレメントに、一方の差込み位置と、少なくとも１つの別の差込み位置とで、それぞれ異なるコンタクト面が割り当てられている：
が設けられていることを特徴とする、差被せ部分の接続線路をプリント配線板の導体路に接続するためのプリント配線板差込み装置。
【請求項２】
コーディングガイド（２１，２２，２３）が、差被せ部分（３）の収容ホール（１５）内に形成されたコーディングウェブ（２３）によって形成されており、該コーディングウェブ（２３）が、差込みフィールド（４）に形成された第１のコーディング切欠き（２１）内にまたは第２のコーディング切欠き（２２）内に導入可能である、請求項１記載のプリント配線板差込み装置。
【請求項３】
差込みフィールド（４）が、互いに等しい間隔を置いて配置された６つのコンタクト面（５，６，７，８，９，１０）を有しており、該コンタクト面（５，６，７，８，９，１０）のうち、第１のコンタクト面（９）が、第１の導体路（３３）に接続されており、第２のコンタクト面（６）が、第２の導体路（３１）に接続されており、第１のコンタクト面（９）に隣り合った第１のコンタクト面ペア（８，１０）が、第３の導体路（３４）に接続されており、第２のコンタクト面（６）に隣り合った第２のコンタクト面ペア（５，７）が、第４の導体路（３２）に接続されており、第１のコーディング切欠き（２１）が、第１のコンタクト面（９）と、隣り合ったコンタクト面（１０）との間に形成されており、第２のコーディング切欠き（２２）が、第１のコンタクト面（９）と、隣り合ったコンタクト面（８）との間に形成されており、収容ホール（１５）内に４つのコンタクトエレメント（１１，１２，１３，１４）が配置されており、これによって、第１のコーディング切欠きと第２のコーディング切欠きとの間での差被せ部分（３）の差換えによって、接続線路（２６）と導体路（３１，３２，３３，３４）との間の、ペアを成して交差された電気的な接続が形成可能である、請求項２記載のプリント配線板差込み装置。
【請求項４】
コンタクト面（５，６，７，８，９，１０）と、第１のコーディング切欠き（２１）と、第２のコーディング切欠き（２２）とが、方形に形成されていて、差被せ方向（２９）に互いに平行に延びて配置されている、請求項２または３記載のプリント配線板差込み装置。
【請求項５】
コーディングウェブ（２３）が、収容ホール（１５）の、向かい合って位置する広幅面を結合している、請求項２から４までのいずれか１項記載のプリント配線板差込み装置。
【請求項６】
コーディングウェブ（２３）の端面（３５）が、収容ホール（１５）の開口レベルで同一平面を成して終わっており、これによって、差被せ時に、端面（３５）が、長孔状に形成されたコーディング切欠き（２１，２２）内にストッパを形成している、請求項２から５までのいずれか１項記載のプリント配線板差込み装置。
【請求項７】
収容ホール（１５）が、内部に位置する側面（１６，１７）を有しており、該側面（１６，１７）が、差し被せられた１つの差込み位置で、それぞれ差込みフィールド（４）の、それぞれ隣り合った側面（１８，１９）に接触している、請求項２から６までのいずれか１項記載のプリント配線板差込み装置。
【請求項８】
接続線路（２６）が、ミニウェスタンコネクタ（２７）に取り付けられており、該ミニウェスタンコネクタ（２７）が、差被せ部分（３）に形成されたミニウェスタンソケット（ＲＪ−４６型のソケット）内に差込み可能に収容されている、請求項１から７までのいずれか１項記載のプリント配線板差込み装置。
【請求項９】
差被せ部分（３）が、ねじ端子（２８）を有しており、該ねじ端子（２８）に接続線路（２６）が接続されている、請求項１から７までのいずれか１項記載のプリント配線板差込み装置。
【請求項１０】
コンタクトエレメント（１１，１２，１３，１４）が、フォーク状のコンタクトばねとして形成されており、該コンタクトばねが、差し込まれた位置でばね力によって、割り当てられたコンタクト面（５，６，７，８，９，１０）に接触している、請求項１から９までのいずれか１項記載のプリント配線板差込み装置。
【請求項１１】
コンタクトエレメント（１１，１２，１３，１４）および／またはコンタクト面（５，６，７，８，９，１０）が、耐食性のコーティング層、特に金合金でコーティングされている、請求項１から１０までのいずれか１項記載のプリント配線板差込み装置。
【請求項１２】
差被せ部分（３）が、射出成形技術で耐火性のポリマ材料から製作されている、請求項１から１１までのいずれか１項記載のプリント配線板差込み装置。
【請求項１３】
コンタクト面（５，６，７，８，９，１０）にＩＳＤＮ−Ｓ０インタフェースの信号（ＳＸ１，ＳＸ２，ＳＲ１，ＳＲ２）が案内されている、請求項１から１２までのいずれか１項記載のプリント配線板差込み装置。
【請求項１４】
コンタクト面（５，６，７，８，９，１０）と、コンタクトエレメント（１１，１２）と、コンタクトエレメント（１３，１４）と、コーディング切欠き（２１，２２）とが、それぞれ互いにパターン寸法の間隔を置いて配置されている、請求項１から１３までのいずれか１項記載のプリント配線板差込み装置。
【発明の詳細な説明】
【技術分野】
【０００１】
技術分野
本発明は、差被せ部分の接続線路をプリント配線板の導体路に接続するためのプリント配線板差込み装置に関する。
【０００２】
背景技術
接続ケーブルの線路を、プリント配線板に設けられた導体路に接続するために、種々異なる直接差込み装置が知られている。これらの直接差込み装置は、しばしば、ストリップ状の差被せ部分を有している。この差被せ部分は差込みフィールドに差し被せられる。この差込みフィールドはプリント配線板の縁部に形成されている。差込みフィールドでは、導体路がコンタクト面によって導出されている。
【０００３】
このような形式のプリント配線板直接差込み装置は、電気通信設備の接続時にも使用される。この場合、ＩＳＤＮ設備の接続時には、この設備の、いわゆる「Ｓ０ポート」で外部のＩＳＤＮ局または内部のＳ０機器が接続されなければならないことが必要となり得る。この両接続構成は、「ＨｉＰａｔｈ  ３０００／５０００  Ｖ４．０」型のＩＳＤＮ電気通信設備のためのサービスハンドブック（Ｓｅｒｖｉｃｅｈａｎｄｂｕｃｈ）に記載されている。両接続はＳ０−４線インタフェースにおける変更を必要としており、１つには、接続線路が一貫して接続されていて、もう１つには、ペアを成して交差されている。従来、接続線路の交差は手によって実施された。すなわち、設備において現場でハウジングカバーが取り外され、ＳＲ心線およびＳＸ心線が接続ソケット内で手によって交換された。手による線路の敷換えは時間手間を要するだけでなく、故障にも繋がり得る。
【０００４】
プリント配線板差込み装置の接続割当てを変更するためには、ＤＩＬスイッチまたは多重差込み装置が知られている。
【０００５】
別の解決可能性は、特殊に形成されたコンタクト形成装置を提供している。このコンタクト形成装置は、一般的に、プリント配線板の縁部に形成された差込みフィールドを有している。この差込みフィールドには、ブリッジスプリングストリップが差し被せられる。プリント配線板における接続レイアウトによって、プリント配線板差込み装置の所望の接続割当てが設定される。このような形式のコンタクト形成装置は、たとえば出願人のドイツ連邦共和国特許出願第１０３１７５８８号明細書に基づき公知である。
【０００６】
ドイツ連邦共和国特許出願公開第１９８１９９０６号明細書に基づき、ＩＳＤＮ−４線インタフェースが公知である。この公知のＩＳＤＮ−４線インタフェースでは、内部の運転と外部の運転との間の切換が自動的に電子的なスイッチによって行われる。
【０００７】
差込み装置の接続割当ての変更は、公知先行技術では、付加的な構成コンポーネントに対する多かれ少なかれ大きな手間に常に結び付けられている。付加的な構成コンポーネントに対する手間を可能な限り少なく保つことが目標とされている。
【０００８】
発明の開示
本発明の課題は、差被せ部分の接続線路をプリント配線板の導体路に接続するためのプリント配線板差込み装置を改良して、接続割当ての変更が簡単にかつ僅かな製作コストで可能となるようにすることである。
【０００９】
この課題は、本発明によれば、冒頭で述べた形式のプリント配線板差込み装置において、
−差被せ部分が、コンタクトエレメントを有しており、該コンタクトエレメントが、接続線路に接続されており、
−差被せ部分を差被せ可能に取り付けるために、プリント配線板の縁部に差込みフィールドが形成されており、
−該差込みフィールドが、コンタクト面を有しており、該コンタクト面によって、導体路が、縁部で導出されており、１つのコンタクト面によって導出された導体路と、少なくとも２つのコンタクト面によって導出された導体路とが設けられており、
−差被せ部分と差込みフィールドとの間にコーディングガイドが形成されており、該コーディングガイドが、第１の差込み位置と、該第１の差込み位置に対して側方に所定の間隔を置いてプリント配線板のレベルでずらされた少なくとも１つの別の差込み位置とを設定しており、コンタクトエレメントに、一方の差込み位置と、少なくとも１つの別の差込み位置とで、それぞれ異なるコンタクト面が割り当てられている：
が設けられていることによって解決される。
【００１０】
本発明の主要な利点は、接続割当ての変更を側方への差被せ部分の差換えによって簡単に生ぜしめることができることにある。差被せ部分に対して、差込みフィールドには、少なくとも２つの差込みスペースが設けられている。各差込みスペースは、鍵・錠構成のように機械的なコーディングガイドによって設定されている。すなわち、差込みフィールドに、規定された差込み位置しか許容されていない。コーディングガイドは差被せ部分と差込みフィールドとの間の形状接続によって形成されている。１つの接続レイアウトは、プリント配線板に設けられた線路を、差込みフィールドに設けられたコンタクト面に接続しており、これによって、導体路と接続線路とを設定可能に割り当てることができる。または別の表現をすれば、接続レイアウトが、導体路と接続線路との間の種々異なる接続可能性を規定している。接続割当ての変更は、ただ１回の差換えしか必要とせず、付加的な構成コンポーネント、たとえばＤＩＬスイッチまたは特殊なコーディング装置を必要としない。接続レイアウトと機械的なコーディングとに対する手間は比較的僅かであるので、これによって、接続割当ての変更可能性の実現が簡単に可能となる。付加的な構成コンポーネントに対する手間は生ぜしめられない。製作コストは僅かとなる。
【００１１】
本発明の有利な構成は、従属請求項の対象である。
【００１２】
本発明の有利な構成は、コーディングガイドが、差被せ部分の収容ホール内に形成されたコーディングウェブによって成っており、このコーディングウェブが、差込みフィールドに設けられた対応するコーディング切欠きと協働することによって特徴付けられている。許容された各差込み位置は、差込みフィールドに設けられたコンタクト面に案内された電気的な信号の取出し時の接続割当てに相当している。
【００１３】
ＩＳＤＮ接続に対して、有利な構成では、プリント配線板差込み装置が以下のように特徴付けられている：差込みフィールドが６つのコンタクト面を有している。これらのコンタクト面のうち、第１のコンタクト面が第１の導体路に接続されており、第２のコンタクト面が第２の導体路に接続されている。第１のコンタクト面に隣り合ったコンタクト面ペアは第３の導体路に接続されており、第２のコンタクト面に隣り合ったコンタクト面ペアは第４の導体路に接続されている。第１のコンタクト面に両側で隣接して、それぞれ１つのコーディング切欠きが形成されている。このコーディング切欠き内には、コーディングウェブが押込み可能である。これによって、差込みフィールドに２つの差込み位置がコーディングされている。両差込み位置では、一貫した接続またはペアを成して交差された接続が形成されている。すなわち、接続割当てを変更するためには、差被せ部分が第１の差込みスペースと第２の差込みスペースとの間で差し換えられることしか必要とならない。したがって、ＩＳＤＮ接続のＳ０ポートを簡単にＩＳＤＮ局の接続とＩＳＤＮ機器の接続との間で組み換えることができる。手による接続線路の交差は不要となる。技術的な実現は廉価である。差被せ部分は、有利にはプラスチック射出成形技術で製作される。コーディングウェブは簡単に差被せ部分の射出成形の間に製作することができる。差込みフィールドに設けられたコーディング切欠きは、プリント配線板のフライス削りによって簡単に製作することができる。
【００１４】
差被せ部分の僅かな幅は、コンタクト面とコーディング切欠きとが方形に形成されていて、差込みフィールドにコネクタ方向で互いに平行に延びて配置されていることによって達成することができる。
【００１５】
コーディングウェブが、収容ホールの、向かい合って位置する広幅面を結合していると有利である。これによって、コーディングウェブが、機械的なコーディング部のほかに、同時に収容ホール内の補強部としても働く。これによって、収容ホールの壁を極めて肉薄に形成することができる。このことは、製作時に少ない材料を必要とする。
【００１６】
差被せ部分の差被せ時に、一方のコーディング切欠き内へのコーディングウェブの刺込みを可能な限り簡単に行うためには、コーディングウェブが収容ホールの開口レベルにまで案内されていると有利である。コーディング切欠きが長孔状に形成されていると、有利には、差被せ部分の開口レベルに位置する端面が、押込み時に当接面を形成するように、寸法を選択することができる。コンタクトエレメントとコンタクト面との間の電気的なコンタクトは、差被せ部分が、選択された押込み位置に正確に配置されている場合に初めて形成される。
【００１７】
本発明の特に有利な構成では、収容ホールが差込みフィールドよりも広幅に寸法設定されていることが提案されている。寸法は、１つの差し込まれた位置で、収容ホールの内側の側面が、差込みフィールドの、向かい合った側の側面に接触しているように選択されている。
【００１８】
すでにＲＪ−４５型のコネクタに取り付けられた接続線路を差被せ部分に接続するために、本発明の変化形では、差被せ部分が、収容ホールの開口と反対の裏側に（ＤＩＮ  ＥＮ  ６０６０３−７による）ミニウェスタンソケットを有しており、このミニウェスタンソケット内に、接続された接続線路を備えたミニウェスタンコネクタが差込み可能であることが提案されている。差被せ部分は、ここでは、アダプタを形成している。このアダプタの接続割当ては、差込みフィールドにおける第１の差込み位置と第２の差込み位置との間の差換えによって選択なしに簡単に変更することができる。
【００１９】
接続線路を差被せ部分に直接接続するために、別の変化形では、差被せ部分がねじ端子を備えていることが提案されている。
【００２０】
差込みフィールドに対する差被せ部分のコンタクト特性と機械的な位置固定とに関して、コンタクトエレメントがフォーク状のコンタクトばねとして形成されていると有利である。これによって、このコンタクトばねが、差し被せられた位置で差込みフィールドの外側の縁部を取り囲むように把持していて、差被せ部分をばね力によって保持している。
【００２１】
コンタクト特性をさらに改善し、このコンタクト特性を可能な限り長い使用期間の間維持するためには、コンタクトばねおよび／またはコンタクト面が耐食性のコーティング層、特に有利には、金または金合金から成るコーティング層を備えていると有利であり得る。
【００２２】
差被せ部分に対する材料として、有利には、耐火性のポリマ材料が使用される。大きな個数での製造は、有利にはプラスチック射出成形によって行うことができる。
【００２３】
有利には、本発明によるプリント配線板差込み装置は、Ｓ０ポートを（外部の）デジタル式の局接続または（内部の）ＩＳＤＮ端末機器接続に対して調整するためのＩＳＤＮ電気通信設備に使用される。
【００２４】
第１のコーディング切欠きと第２のコーディング切欠きとが所定のパターン寸法の間隔を置いて配置されていて、第１のコンタクト面に隣接して配置されていると有利である。この非対称的な配置形式によって、差被せ部分を、１８０゜だけ回動させられた位置で差込みフィールドに被せ嵌めることができないことが確保されている。
【００２５】
以下に、本発明の別の有利な構成、詳細および改良形を図示の実施例につき詳しく説明する。
【００２６】
図１および図２には、たとえばＩＳＤＮ電気通信設備においてＩＳＤＮ接続の接続割当ての構成のために使用されるような本発明によるプリント配線板差込み装置の１つの実施例が全体として符号１で示してある。
【００２７】
図１および図２に示した立体図には、ストリップ状の差被せ部分３が示してある。この差被せ部分３は、それぞれプリント配線板２の差込みフィールド４への差被せ前の位置に位置している。差被せ部分３には、接続線路２６を備えた接続ケーブル２０が取り付けられている。差被せ部分３は直方体状の収容ホール１５を有している。この収容ホール１５内には、４つのコンタクトエレメント１１，１２，１３，１４を見ることができる。さらに、収容ホール１５内には、コーディングウェブ２３が形成されている。このコーディングウェブ２３は、収容ホール１５の、向かい合って位置する広幅面の間に延びている。１つのＩＳＤＮ接続の図示の使用事例では、差被せ部分３の４つのコンタクトエレメント１１，１２，１３，１４に向かい合って、差込みフィールド４に設けられた６つのコンタクト面５，６，７，８，９，１０が位置している。この場合、これらのコンタクト面は一列に相並んで配置されている。
【００２８】
差込みフィールド４は舌片状にプリント配線板２の縁部２４から突出している。コンタクト面５，６，７，８，９，１０は方形に形成されていて、プリント配線板２の４つの導体路３１，３２，３３，３４に接続されている。
【００２９】
さらに、差込みフィールド４は２つのコーディング切欠き２１，２２を備えている。両コーディング切欠き２１，２２は所定の間隔２５を置いて配置されていて、フライス削りによって差込みフィールド４に製作されている。両コーディング切欠き２１，２２はコンタクト面９に対して両側でかつ平行に一緒に延びている。両コーディング切欠き２１，２２はコーディングウェブ２３に対する鍵溝を形成している。
【００３０】
コーディングウェブ２３とコーディング切欠き２１，２２との、選択された非対称的な配置形式によって、差被せ部分３が、１８０゜だけ反転された位置で差し被せられ得ることが排除されている。
【００３１】
図１では、コーディングウェブ２３が、第１のコーディング切欠き２１内に押し込むための押込み位置に位置している。これに対して、図２には、側方で左方に移動させられた第２の押込み位置が示してある。ここでは、コーディングウェブ２３が第２のコーディング切欠き２２に向かい合って位置している。コーディングウェブ２３は０．７ｍｍの幅を有している。第１のコーディング切欠き２１と第２のコーディング切欠き２２とはコーディングウェブよりも僅かに広幅に寸法設定されており、これによって、差被せ部分３を手によって容易に差込みフィールド４に差し被せることができる。両コーディング切欠き２１，２２ならびにコンタクト面５，６，７，８，９，１０は、それぞれパターン寸法（１．２７ミリメートル〜３．５ミリメートル）の間隔を置いて配置されている。コンタクト面５，６，７，８，９，１０は、図示の実施例では、導体路の上側で導出されている。しかし、コンタクト面が上側でかつ／または下側で導出されていることも可能である。
【００３２】
コンタクト面５，６，７，８，９，１０と導体路３１，３２，３３，３４との間の接続は、プリント配線板２における接続レイアウト３０によって設定されている。図１および図２から明らかであるように、本使用事例では、この接続レイアウト３０によって、コンタクト面６は導体路３１（ＩＳＤＮ信号ＳＸ２）にしか接続されておらず、コンタクト面９は導体路３３（ＩＳＤＮ信号ＳＸ１）にしか接続されていない。これに対して、ＩＳＤＮ信号ＳＲ２を案内する導体路３２は、差込みフィールド４で２つのコンタクト面５，７によって導出されている。また、ＩＳＤＮ信号ＳＲ１を案内する導体路３４は、二重に、つまり、コンタクト面８への接続とコンタクト面１０への接続とによって差込みフィールド４で導出されている。言い換えるならば、差込みフィールドには、１つの導体路にしか接続されていないコンタクト面（コンタクト面６，９）が設けられており、他方では、差込みフィールド４において、それぞれ２つのコンタクト面５，７；８，１０で終わる導体路３２，３４が設けられている。この割当てに基づき、ＩＳＤＮ信号ＳＸ１，ＳＸ２は、差込みフィールド４において、それぞれ１つのコンタクト面で取り出すことができ、これに対して、ＩＳＤＮ信号ＳＲ１；ＳＲ２は、それぞれ２つのコンタクト面で取り出すことができる。
【００３３】
本使用事例では、このことは、通信システムのＳ０ボードで外部のＩＳＤＮ局または内部のＳ０機器を接続したい場合に、差被せ部分３がコーディングウェブ２３で第１のコーディング切欠き２１内にまたは側方にずらされて第２のコーディング切欠き２２内に差し込まれることによって、接続線路の、ペアを成した要求された交差を簡単に達成することができることを意味している。矢印２９は、図１および図２において差被せ方向を示している。
【００３４】
コンタクトエレメントとＩＳＤＮ信号との間の以下の割当てが生ぜしめられる。
【００３５】
第１の差込み位置では、コーディングウェブ２３が第１のコーディング切欠き２１内に押し込まれている（図１参照）。
【００３６】
【表１】
2008515155.tif 000003
【００３７】
第２の差込み位置では、コーディングウェブ２３が第２のコーディング切欠き２２内に押し込まれている（図２参照）。
【００３８】
【表２】
2008515155.tif 000004
【００３９】
両表の比較から明らかであるように、差被せ部分３のコンタクトエレメント１１，１２，１３，１４によって取り出されたＩＳＤＮ信号は各差込み位置でペアを成して交差されている。このことは、手による接続心線の交換に匹敵する。
【００４０】
差被せ部分３は第１の差込み位置もしくは第２の差込み位置でしか差込みフィールド４に差し被せることができないでの、手による接続心線の交換時に生ぜしめられ得るようなＩＳＤＮ接続の構成時の故障は排除されている。
【００４１】
図１および図２に示したように、差被せ部分３の直方体状の収容ホール１５は側壁１６，１７を有している。収容ホール１５の幅は差込みフィールド４の幅よりも広幅に寸法設定されている。コーディングウェブ２３は収容ホール１５を、観察方向で見て大きい方の左側の部分縦孔と、小さい方の右側の部分縦孔とに非対称的に分割している。左側の部分縦孔内には、コンタクトエレメント１１，１２，１３が位置している。コンタクトエレメント１２，１３の間には、パターンスペースが空いている。内面１６；１７に向かって位置する外側のスペースも各部分縦孔で解放されている。コンタクトエレメント１１，１２，１３，１４ならびにコンタクト面５，６，７，８，９，１０およびコーディング切欠き２１，２２は、それぞれ間隔２５（パターン寸法）を置いて相並んで配置されている。
【００４２】
図１に示した第１の押込み位置では、内側の側面１６が、差込みフィールド４の、対応する側面１８に整合している。寸法は、差被せ過程（矢印２９参照）時に面１６が面１８に接触するように選択されている。こうして、押込み時の付加的なガイドが形成される。同じことが、図２に示した第２の押込み位置に当てはまる。この差込みスペースへの差込み時には、差被せ部分３の、観察方向で見て右側の側面１７が、差込みフィールド４の側面１９に位置している。ここでも、面１７，１９の当付けが付加的なガイドを形成している。
【００４３】
コーディングウェブ２３は端面３６を有している。この端面３６は収容ホール１５の開口レベルと同一平面を成して終わっている。コーディング切欠き２１；２２の細長い深さは、端面３６が差込み時にストッパとして作用するように寸法設定されている。
【００４４】
ケーブル２０の接続線路２６は差被せ部分３に差込み可能であってよいかまたは固く接続されていてよい。図３に示した断面図には、第１の構成において、ＲＪ−４５型の差込み接続器２７による接続ケーブル２０の接続が示してある。図４では、第２の変化形において、接続がねじ端子２８によって形成されている。差込み接続器２７もしくはねじ端子２８は、それぞれ差被せ部分３の、収容ホール１５と反対の側に形成されている。断面図から明らかであるように、コンタクトエレメントはフォーク状に形成されている。
【００４５】
当然ながら、機械的なコーディング部２３，２１，２２が、差込みフィールド４と収容ホール１５との間の、異なって形成された形状対偶によって実現されていてもよい。たとえば、コーディング切欠きが、差込みフィールド４に形成された、差被せ方向２９に延びる溝によって形成されていてよい。この場合、この溝内には、コーディングウェブ２３の代わりに、収容ホール内で差込みフィールドの方向に突出したコーディングストリップまたは類似に合同に形成されたコーディング付設部が係合する。
【図面の簡単な説明】
【００４６】
【図１】第１の差込み位置への押込み前の差被せ部分が示してある本発明によるプリント配線板差込み装置を示す図である。
【図２】第２の差込み位置への押込み前の差被せ部分が示してある本発明によるプリント配線板差込み装置を示す図である。
【図３】差込みフィールドに差し被せられた差被せ部分の断面図であり、この場合、接続ケーブルがＲＪ−４５型の接続体によって接続されている。
【図４】差込みフィールドに差し被せられた差被せ部分の断面図であり、この場合、接続ケーブルがねじ端子接続体によって接続されている。
【符号の説明】
【００４７】
１  プリント配線板差込み装置、  ２  プリント配線板、  ３  差被せ部分、  ４  差込みフィールド、  ５，６，７，８，９，１０  コンタクト面、  １１，１２，１３，１４  コンタクトエレメント、  １５  収容ホール、  １６，１７  側面、  １８，１９  側面、  ２０  接続ケーブル、  ２１，２２  コーディング切欠き、  ２３  コーディングウェブ、  ２４  縁部、  ２５  間隔、  ２６  接続線路、  ２７  差込み接続器、  ２８  ねじ端子、  ２９  差被せ方向、  ３０  接続レイアウト、  ３１，３２，３３，３４  導体路、  ＳＲ１，ＳＲ２，ＳＸ１，ＳＸ２  ＩＳＤＮ信号
【図１】
2008515155.tif 000005
【図２】
2008515155.tif 000006
【図３】
2008515155.tif 000007
【図４】
2008515155.tif 000008
【国際調査報告】
2008515155.tif 000009
2008515155.tif 000010
2008515155.tif 000011
2008515155.tif 000012